(57)【要約】  プーリ（1）の側面に沿って配置され、一端よりも他端がプーリ回転方向前方に位置する治具本体（10）と、治具本体（10）一端側の当接部（11）からプーリ回転方向前方に突設され、プーリ（1）のプーリ溝に嵌合し、且つ治具本体（10）他端側の捩れ防止プレート（12）とプーリ回転軸方向に離間して当該プレート（12）との間に隙間を有し、ベルト（B）を基端側表面から隙間に案内するベルト案内部（15）とを備え、上記隙間に案内されたベルト（B）を捩れ防止プレート（12）と治具取付け先のプーリ（1）側面とによりその内周面がプーリ側を向くように保持し、プーリ（1）の回転動作に伴ってベルト（B）と共にプーリ回転方向に移動してベルト（B）をプーリ溝に嵌合させるように構成する。
2011158505.tif 000002
【特許請求の範囲】
【請求項１】
プーリ溝を有する少なくとも２個のプーリにベルトを緊張状態で巻き掛ける際、１個のプーリを除く他のプーリにベルトを掛け渡した状態で、上記１個のプーリに取り付けられて該プーリのプーリ溝に上記ベルトを嵌合させるベルト取付治具であって、
一端よりも他端がプーリ回転方向前方に位置するようにプーリの側面に沿って配置される治具本体と、
上記治具本体の一端側にプーリ回転方向前方に突設され、上記プーリのプーリ溝に嵌合し、且つ上記治具本体の他端側とプーリ回転軸方向に離間して当該他端側との間に隙間を有し、上記ベルトを基端側表面を経て上記隙間に案内するベルト案内部とを備え、
上記隙間に案内されたベルトを上記治具本体の他端側と治具取付け先のプーリの側面とにより当該ベルトの内周面がプーリ側を向くように保持した状態で、上記プーリの回転動作に伴って上記ベルトと共にプーリ回転方向に移動して上記ベルトをプーリ溝に嵌合させるように構成されている
ことを特徴とするベルト取付治具。
【請求項２】
請求項１に記載のベルト取付治具において、
上記ベルトを保持した状態で、上記治具本体は、上記ベルト案内部の先端側付近で治具取付け先のプーリの外周縁部近傍に位置付けられている
ことを特徴とするベルト取付治具。
【請求項３】
請求項１及び２のいずれか１項に記載のベルト取付治具において、
上記ベルト案内部における上記隙間側の端部表面には、上記隙間側に向かって下傾する第１の傾斜面が形成されている
ことを特徴とするベルト取付治具。
【請求項４】
請求項１〜３のいずれか１項に記載のベルト取付治具において、
上記ベルト案内部における上記隙間側の端部と反対側表面には、上記隙間と反対側に向かって下傾する第２の傾斜面が形成されている
ことを特徴とするベルト取付治具。
【請求項５】
請求項１〜４のいずれか１項に記載のベルト取付治具において、
上記治具本体の他端側と上記ベルト案内部との間のプーリ回転軸方向の隙間は、プーリ回転方向後方から前方に向かって広がっている
ことを特徴とするベルト取付治具。
【請求項６】
請求項１〜５のいずれか１項に記載のベルト取付治具において、
上記各プーリのプーリ溝は、並列に複数設けられ、各々、開口側から底側に向かって幅が狭くなるＶ字状に形成されており、
上記ベルト案内部は上記各プーリ溝に係合する複数の係合突条部を裏面に有し、該各係合突条部は上記プーリ溝に対応するように横断面三角形状又は台形状に形成されている
ことを特徴とするベルト取付治具。
【請求項７】
請求項１〜６のいずれか１項に記載のベルト取付治具において、
治具取付け先のプーリはフランジ付きプーリであり、当該プーリのフランジは基端側から先端側に向かって幅が狭くなる横断面台形状に形成され、
上記治具本体の一端側と上記ベルト案内部の基端側裏面との間には、治具取付け先のプーリのフランジを挟み込んで係合する係合溝が形成されている
ことを特徴とするベルト取付治具。
【請求項８】
請求項１〜７のいずれか１項に記載のベルト取付治具において、
上記治具本体の一端側に上記ベルト案内部のプーリ径方向外側に離間して突設され、上記治具本体の他端側とプーリ径方向において間隔をあけて重なり、且つ上記ベルト案内部とプーリ回転軸方向に離間して当該ベルト案内部との間に隙間を有し、当該隙間側の端部がベルトの巻掛け終了に先だって該ベルトのプーリ溝に未嵌合な部分に接して、当該ベルトを治具取付け先のプーリ側に押さえるベルト押え部をさらに備える
ことを特徴とするベルト取付治具。
【請求項９】
請求項８に記載のベルト取付治具において、
上記ベルト押え部は、治具取付け先のプーリの外周縁部に沿って延びる湾曲形状に形成されている
ことを特徴とするベルト取付治具。
【請求項１０】
請求項１〜９のいずれか１項に記載のベルト取付治具において、
上記治具本体は、上記プーリに取り付けた際に、該プーリのベルト送出側側方においてプーリ径方向中心側から外側に向かって延びる上記ベルトの中途部を、該ベルトの内周面を治具取付け先のプーリ側に向けた状態で当該プーリの側面とにより保持するように構成されている
ことを特徴とするベルト取付治具。
【請求項１１】
請求項１０に記載のベルト取付治具において、
上記治具本体は、治具取付け先のプーリの外周縁部に倣って該プーリの側面に沿って延びる円弧形状に形成されている
ことを特徴とするベルト取付治具。
【請求項１２】
請求項１〜１１のいずれか１項に記載のベルト取付治具において、
上記治具本体は、上記ベルト案内部とプーリ回転軸方向に間隔をあけて設けられ、該ベルト案内部との間に隙間を有し、該隙間を通したベルトを上記ベルト案内部とで挟持するベルト挟持部をさらに備えている
ことを特徴とするベルト取付治具。
【発明の詳細な説明】
【技術分野】
【０００１】
本発明は、ベルト取付治具に関し、特に、外周面にプーリ溝を有するプーリを回転させながら該プーリにベルトを巻き掛ける過程で、ベルト背面が損傷することを防止するベルト取付治具に関するものである。
【背景技術】
【０００２】
一般的に、外周面にプーリ溝を有する複数のプーリにベルトを巻き掛けてなるベルト伝動装置は、ベルトを全てのプーリに掛け渡してから所定のベルト張力を付与するオートテンショナなどの張力付与手段を備えている。【０００３】
このような張力付与手段を不要にするために、複数のプーリに取り付ける際に周方向に引き伸ばしてプーリフランジを乗り越えさせるようにしたベルトがあり、このベルトをプーリに取り付けるためのベルト取付治具が従来から提案されている。【０００４】
ベルト取付治具は、例えば２個のプーリにベルトを巻き掛ける場合、一方のプーリにベルトを掛け渡した状態で、該ベルトが掛け回されると共に他方のプーリに取り付けて使用されるものであり、その取付状態は、ベルトを当該ベルト取付治具に掛け回し、他方のプーリにおいて、当該ベルト取付治具よりもプーリ回転方向後方に位置するベルト部分をプーリ溝に嵌合させると共に、当該ベルト取付治具よりもプーリ回転方向前方に位置するベルト部分をプーリの手前側側方に引き出すことにより、該ベルトとプーリ溝との間に挟着された状態である。なお、本明細書でいう「手前側」とは、ベルトの取付け作業を行う作業者側を意味し、「奥側」とは、上記作業者と反対側を意味する。【０００５】
そして、ベルト取付治具は、上記取付状態とされた後、治具取付側のプーリのセンターボルトをレンチなどの工具を用いて回転させ、当該ベルト取付治具をプーリ回転方向前方に進め、プーリ溝に嵌るベルトの範囲を徐々に広げることによって、最終的には治具取付側のプーリにもベルトを完全に巻き掛けるようになっている。【０００６】
このようにしてベルトをプーリに巻き掛ける際、ベルト取付治具に掛けたベルトは、治具取付側のプーリの手前側側方を通って他方のプーリに至るので、プーリを回転させながらベルトを巻き掛けようとすると、ベルトの巻掛けに伴い付与された張力によって他方のプーリにおけるベルト進入側でプーリの手前側側方に強く引っ張られ、他方のプーリから外れるおそれがある。そこで、このようなプーリからのベルト外れを防止するベルト外れ防止治具が知られている。【０００７】
例えば、特許文献１には、プーリフランジの外周側に位置する板状の外れ止めと、該外れ止めの底面に形成された係止溝、及び上記外れ止めの底部からプーリ溝内面に沿うように突出する挟着部からなる固定手段とを備え、上記係止溝でプーリフランジを挟み込むと共に上記挟着部をベルトとプーリ溝とで挟着し、ベルトがプーリの手前側側方に引っ張られても上記外れ止めによりプーリから外れることを防止するベルト外れ防止治具が開示されている。
【先行技術文献】
【特許文献】
【０００８】
【特許文献１】特許第４３６１９６１号公報
【発明の概要】
【発明が解決しようとする課題】
【０００９】
しかしながら、特許文献１のベルト外れ防止治具を用いた場合には、プーリからのベルト外れは防止できるものの、該ベルトはプーリの手前側側方に強く引っ張られ、特にプーリへのベルトの巻掛け終了間際においてはベルト張力が最大となるので、そのプーリ手前側側方への引張力も大きくなって、外れ止めにベルトが乗り上げやすい。そうなると、ベルト取付治具のプーリ回転方向前方付近に位置するベルト部分が捩れてその背面が当該治具取付側のプーリの手前側側面に当接した状態となり、プーリへの取付け過程でベルト背面が損傷してしまうおそれがある。【００１０】
また、外れ止めにベルトが乗り上げなくとも、プーリ溝にまだ巻き掛けられていないベルト部分がフリーな状態でプーリの手前側側面に接触するので、治具取付側のプーリの回転動作に伴い当該プーリの手前側側面と摺動することによりベルトが捩れ、その捩れたベルトの背面がプーリに接触して損傷するおそれがある。【００１１】
本発明は、斯かる点に鑑みてなされたものであり、その目的とするところは、少なくとも２個のプーリにベルトを巻き掛ける際において、予めベルトを掛け渡したプーリからのベルト外れ、及びベルト背面の損傷を防止することにある。
【課題を解決するための手段】
【００１２】
上記の目的を達成するために、本発明は、ベルトのプーリ手前側部分を予め掛け渡したプーリのプーリ溝に強く噛ますと共にベルトに捩れが生じないようにベルト取付治具の構成を工夫したものである。【００１３】
具体的には、本発明は、プーリ溝を有する少なくとも２個のプーリにベルトを緊張状態で巻き掛ける際、１個のプーリを除く他のプーリにベルトを掛け渡した状態で、上記１個のプーリに取り付けられて該プーリのプーリ溝に上記ベルトを嵌合させるベルト取付治具を対象とし、以下の解決手段を講じたものである。【００１４】
すなわち、第１の発明は、一端よりも他端がプーリ回転方向前方に位置するようにプーリの側面に沿って配置される治具本体と、該治具本体の一端側にプーリ回転方向前方に突設され、上記プーリのプーリ溝に嵌合し、且つ上記治具本体の他端側とプーリ回転軸方向に離間して当該他端側との間に隙間を有し、上記ベルトを基端側表面を経て上記隙間に案内するベルト案内部とを備え、上記隙間に案内されたベルトを上記治具本体の他端側と治具取付け先のプーリの側面とにより当該ベルトの内周面がプーリ側を向くように保持した状態で、上記プーリの回転動作に伴って上記ベルトと共にプーリ回転方向に移動して上記ベルトをプーリ溝に嵌合させるように構成されていることを特徴とする。【００１５】
第２の発明は、第１の発明のベルト取付治具において、上記ベルトを保持した状態で、上記治具本体は、上記ベルト案内部の先端側付近で治具取付け先のプーリの外周縁部近傍に位置付けられていることを特徴とする。【００１６】
第３の発明は、第１及び第２の発明のいずれか１つのベルト取付治具において、上記ベルト案内部における上記隙間側の端部表面には、上記隙間側に向かって下傾する第１の傾斜面が形成されていることを特徴とする。【００１７】
第４の発明は、第１〜第３の発明のいずれか１つのベルト取付治具において、上記ベルト案内部における上記隙間側の端部と反対側表面には、上記隙間と反対側に向かって下傾する第２の傾斜面が形成されていることを特徴とする。【００１８】
第５の発明は、第１〜第４の発明のいずれか１つのベルト取付治具において、上記治具本体の他端側と上記ベルト案内部との間のプーリ回転軸方向の隙間は、プーリ回転方向後方から前方に向かって広がっていることを特徴とする。【００１９】
第６の発明は、第１〜第５の発明のいずれか１つのベルト取付治具において、上記各プーリのプーリ溝は、並列に複数設けられ、各々、開口側から底側に向かって幅が狭くなるＶ字状に形成されており、上記ベルト案内部は上記各プーリ溝に係合する複数の係合突条部を裏面に有し、該各係合突条部は上記プーリ溝に対応するように横断面三角形状又は台形状に形成されていることを特徴とする。【００２０】
第７の発明は、第１〜第６の発明のいずれか１つのベルト取付治具において、治具取付け先のプーリはフランジ付きプーリであり、当該プーリのフランジは基端側から先端側に向かって幅が狭くなる横断面台形状に形成され、上記治具本体の一端側と上記ベルト案内部の基端側裏面との間には、治具取付け先のプーリのフランジを挟み込んで係合する係合溝が形成されていることを特徴とする。【００２１】
第８の発明は、第１〜第７の発明のいずれか１つのベルト取付治具において、上記治具本体の一端側に上記ベルト案内部のプーリ径方向外側に離間して突設され、上記治具本体の他端側とプーリ径方向において間隔をあけて重なり、且つ上記ベルト案内部とプーリ回転軸方向に離間して当該ベルト案内部との間に隙間を有し、当該隙間側の端部がベルトの巻掛け終了に先だって該ベルトのプーリ溝に未嵌合な部分に接して、当該ベルトを治具取付け先のプーリ側に押さえるベルト押え部をさらに備えることを特徴とする。【００２２】
第９の発明は、第８の発明のベルト取付治具において、上記ベルト押え部は、治具取付け先のプーリの外周縁部に沿って延びる湾曲形状に形成されていることを特徴とする。【００２３】
第１０の発明は、第１〜第９の発明のいずれか１つのベルト取付治具において、上記治具本体は、上記プーリに取り付けた際に、該プーリのベルト送出側側方においてプーリ径方向中心側から外側に向かって延びる上記ベルトの中途部を、該ベルトの内周面を治具取付け先のプーリ側に向けた状態で当該プーリの側面とにより保持するように構成されていることを特徴とする。【００２４】
第１１の発明は、第１０の発明のベルト取付治具において、上記治具本体は、治具取付け先のプーリの外周縁部に倣って該プーリの側面に沿って延びる円弧形状に形成されていることを特徴とする。【００２５】
第１２の発明は、第１〜第１１の発明のいずれか１つのベルト取付治具において、上記治具本体は、上記ベルト案内部とプーリ回転軸方向に間隔をあけて設けられ、該ベルト案内部との間に隙間を有し、該隙間を通したベルトを上記ベルト案内部とで挟持するベルト挟持部をさらに備えていることを特徴とする。
【発明の効果】
【００２６】
第１の発明によれば、治具本体の他端側とベルト案内部との間の隙間に案内されたベルトが、治具本体の他端側と治具取付け先のプーリの側面とによりその内周面をプーリ側に向けた状態の所定の姿勢に保持されるので、プーリ溝にまだ巻き掛けられていないベルト部分においてプーリの外周面上で手前側に送られる幅方向一方側がプーリの外周面上で奥側に送られる幅方向他方側に対してプーリ回転軸側に位置し、治具取り付け先のプーリに続いてベルトが送られる他のプーリ上でプーリ手前側に位置するベルト部分が該他のプーリのプーリ溝に強く噛んで、当該プーリからベルトが外れることを防止できる。また、それと共に、治具取付け先のプーリの回転動作に伴う当該プーリの側面との摺動によりベルトに捩れが生じようとするプーリ側方において、当該ベルトの捩れを確実に抑止して、ベルト背面が損傷することを防止できる。したがって、予めベルトを掛け渡したプーリからのベルト外れ、及びベルト背面の損傷を防止することができる。そして、上述のベルト外れ防止治具が不要となるので、プーリへのベルト取付けに必要となる治具の点数を削減でき、簡素且つコンパクトな構成の当該ベルト取付治具でプーリへのベルト取付けを良好に行うことができる。【００２７】
第２の発明によれば、プーリへのベルトの巻掛け終了間際には、プーリ溝にまだ巻き掛けられていないベルト部分が治具取付け先のプーリの外周縁部近傍に位置するが、このような状態においても治具本体と治具取付け先のプーリの側面とでベルトを所定の姿勢に保持できるので、ベルトの巻掛けが終了するまで予めベルトを掛け渡したプーリからのベルト外れ及びベルト背面の損傷を良好に防止することができる。【００２８】
第３の発明によれば、ベルトをベルト案内部の基端側表面を経て治具本体の他端側とベルト案内部との間の隙間に案内するようにベルト取付治具に掛け回した際に、上記隙間側に下傾する第１の傾斜面によってベルトに極端な曲げを生じさせることなく当該ベルトをベルト案内部の表面から折り曲げて上記隙間に通すと共にプーリ側方に引き出すことができるので、プーリへのベルト取付けに伴うベルトのひずみ集中を避けてベルトの破損を防止することができる。【００２９】
第４の発明によれば、プーリへのベルトの巻掛け最終段階において、治具本体の他端側とベルト案内部との間の隙間から抜けてベルト案内部の表面に乗ったベルト部分を該ベルト案内部の第２の傾斜面によってプーリ溝側に滑り込ませてスムーズにプーリ溝に嵌合させることができるので、プーリへのベルトの取付作業を速やかに行うことができる。【００３０】
第５の発明によれば、治具本体の他端側とベルト案内部との間の隙間が先広がりになっているので、当該隙間にベルトを通しやすく、ベルト取付治具の使い勝手を良くすることができる。【００３１】
第６の発明によれば、ベルト案内部裏面の係合突条部と治具取付け先のプーリのプーリ溝とが楔係合して当該ベルト取付治具がプーリに取り付けられるので、プーリへのベルトの巻掛け終了後に当該ベルト取付治具がプーリから外れて落下することを防止できる。【００３２】
第７の発明によれば、ベルト取付治具の係合溝と治具取付け先のプーリのフランジとが楔係合して当該ベルト取付治具がプーリに取り付けられるので、プーリへのベルトの巻掛け終了後に当該ベルト取付治具がプーリから外れて落下することを防止できる。【００３３】
第８の発明によれば、ベルト張力が最大となるプーリへのベルトの巻掛け終了直前において、ベルトが治具本体と治具取付け先のプーリの側面との間の隙間から抜けて、当該ベルトのプーリ手前側部分が治具取付け先のプーリに続いてベルトが送られる他のプーリのプーリ溝に強く噛んだ状態が解除されても、ベルトの巻掛け終了に先だって、ベルト押え部により、該ベルトのプーリ溝にまだ巻き掛けられていない部分が治具取付け先のプーリ側に押さえられるので、当該治具取付け先のプーリに続いてベルトが送られる他のプーリからベルトが外れたり、該他のプーリがフランジ付きプーリである場合にはそのフランジにベルトが乗り上げたりすることを確実に防止できる。【００３４】
第９の発明によれば、ベルト押え部が治具取付け先のプーリの外周縁部に沿って延びる湾曲形状に形成されているので、ベルトが治具本体と治具取付け先のプーリの側面との間の隙間から抜けた際に該ベルトのプーリ溝にまだ巻き掛けられていない部分を治具取付け先のプーリ側に押さえる構成をコンパクトに実現することができる。【００３５】
第１０の発明によれば、治具取付け先のプーリのベルト送出側側方においてプーリ径方向中心側から外側に向かって延びるベルトの中途部は、治具取付け先のプーリの回転動作に伴う当該プーリの側面との摺動により捩れやすいが、ベルト取付治具をプーリに取り付けた際の取付け初期状態から治具本体と治具取付け先のプーリの側面とによりベルトの内周面を当該プーリ側に向けた状態の所定の姿勢に保持されるので、当該ベルトの捩れをよりいっそう確実に抑止することができる。【００３６】
第１１の発明によれば、治具本体が治具取付け先のプーリの外周縁部に倣って延びる円弧形状であるので、治具取付先のプーリの側方に位置するベルト部分を、治具本体と治具取付け先のプーリの側面とにより比較的長い範囲に亘って保持し、所定の姿勢に安定させることができる。【００３７】
第１２の発明によれば、プーリにベルトを巻き掛ける際に、ベルト挟持部とベルト案内部とでベルトが挟持され、ベルト取付治具自体にベルトが固定される。これにより、ベルトがプーリの回転動作に伴いベルト取付治具上で滑ることを防止でき、効率良く且つ確実にプーリにベルトを取り付けることができる。
【図面の簡単な説明】
【００３８】
【図１】図１は、実施形態１に係るベルト取付治具の斜視図である。
【図２】図２は、実施形態１に係るベルト取付治具の側面図である。
【図３】図３は、実施形態１に係るベルト取付治具の平面図である。
【図４】図４は、実施形態１に係るベルト取付治具のプーリに対する取付状態での関係性を示す正面図である。
【図５】図５は、実施形態１に係るベルト取付治具のプーリに対する取付状態での関係性を示す背面図である。
【図６】図６は、ベルトが巻き掛けられたクランクプーリ及びコンプレッサプーリを示す側面図である。
【図７】図７は、実施形態１におけるプーリへのベルト取付工程の前半ステップを示す側面図である。
【図８】図８は、実施形態１におけるプーリへのベルト取付工程の後半ステップを示す側面図である。
【図９】図９は、実施形態１におけるプーリへのベルトの巻掛け終了状態を示す側面図である。
【図１０】図１０は、実施形態２に係るベルト取付治具の斜視図である。
【図１１】図１１は、実施形態２に係るベルト取付治具の側面図である。
【図１２】図１２は、実施形態２におけるプーリへのベルトの巻掛け終了間際の状態を示す側面図である。
【図１３】図１３は、実施形態３に係るベルト取付治具の斜視図である。
【図１４】図１４は、実施形態３におけるベルト取付治具のプーリへの取付け状態を示す側面図である。
【図１５】図１５は、実施形態３におけるプーリへのベルトの巻掛け途中段階を示す側面図である。
【図１６】図１６は、実施形態３におけるプーリへのベルトの巻掛け終了状態を示す側面図である。
【図１７】図１７は、実施形態４に係るベルト取付治具の斜視図である。
【図１８】図１８は、実施形態４に係るベルト取付治具をプーリに取り付けてベルトを掛け回した状態の正面図である。
【発明を実施するための形態】
【００３９】
以下、本発明の実施形態を図面に基づいて詳細に説明する。なお、本発明は、以下の実施形態に限定されるものではない。
【００４０】
《発明の実施形態１》
図１〜図５は、この実施形態１に係るベルト取付治具Ｊ１を示す図である。図１は、ベルト取付治具Ｊ１の斜視図である。図２は、ベルト取付治具Ｊ１の側面図である。図３は、ベルト取付治具Ｊ１の平面図である。図４は、ベルト取付治具Ｊ１の正面図である。図５は、ベルト取付治具Ｊ１の背面図である。また、図６は、ベルト取付治具Ｊ１を用いてＶリブドベルト（以下、単にベルトと称する）Ｂを巻き掛けた状態の２個のプーリ１，６を示す側面図である。なお、図４及び図５は、ベルト取付治具Ｊ１のプーリ１に対する取り付け状態での関係性を示している。
【００４１】
本実施形態に係るベルト取付治具Ｊ１は、図６に示すように、例えば、エンジンに搭載されたエンジン本体のクランク軸に連結されるクランクプーリ１と、同じくエンジンに搭載されたエアコンディショナーコンプレッサの入力軸に連結されるコンプレッサプーリ６とにベルトＢを巻き掛けるために使用されるものである。
【００４２】
ベルトＢは、高伸縮性の繊維からなる心線を埋設した平ベルト状のベルト本体の内周面にベルトの周方向に延びる複数（本実施形態では３本）のＶリブが一体に突設されてなる。クランクプーリ１及びコンプレッサプーリ６は、所定の軸間距離を隔てて回転自在に支持され、当該軸間距離は変更不能とされている。図６中の矢印は、各プーリ１，６の回転方向を示している。また、エンジンは、上記ベルトＢに対して張力を付与するオートテンショナ（張力付与手段）を備えていない。
【００４３】
クランクプーリ１は、フランジ付きのいわゆる２段プーリであって、図４及び図５に示すように、プーリ軸方向に並設される同径の手前側プーリ２及び奥側プーリ３を備えている。奥側プーリ３はエンジン本体と手前側プーリ２とに挟まれる。これら手前側プーリ２及び奥側プーリ３は、一体的に形成され、各々の外周面にベルトＢ内周面のＶリブに嵌合する複数（本実施形態では３本）のプーリ溝２ａ，３ａが並列に周方向に延びるように形成されている。これら各プーリ溝２ａ，３ａは、開口側から底側に向かって幅が狭くなるＶ字状に形成されている。
【００４４】
また、手前側プーリ２及び奥側プーリ３の外周面におけるプーリ回転軸方向両端には、各々のプーリ溝２ａ，３ａの群を挟むように一対のフランジ２ｂ，３ｂが環状に設けられている。手前側プーリ２の手前側フランジ２ｂは、プーリ奥側の面がプーリ溝２ａ側に向かって下傾し、基端側から先端側に向かって幅が狭くなる横断面台形状に形成されている。また、クランクプーリ１の径方向中心に形成されたボス部には、エンジンのクランク軸がプーリ奥側から挿入され、該クランク軸の先端部がプーリ手前側でセンターボルト４により止められている。
【００４５】
一方、コンプレッサプーリ６も、図６に示すように、プーリ回転軸方向両端にフランジ６ａが環状に設けられたフランジ付きプーリであって、図示しないが、外周面に上記クランクプーリ１と同様なベルトＢ内周面のＶリブに嵌合するＶ字状の複数（本実施形態では３本）のプーリ溝が形成されている。このコンプレッサプーリ６のボス部には、エアコンディショナーコンプレッサの入力軸がプーリ奥側から挿入され、該入力軸の先端部がプーリ手前側でセンターボルト７により止められている。
【００４６】
ベルト取付治具Ｊ１は、コンプレッサプーリ６にベルトＢの一方側を掛け渡した状態で、該ベルトＢの他方側が掛け回されると共にクランクプーリ１に取り付けて使用されるものである。このベルト取付治具Ｊ１は、例えばＭＣ（モノキャスト）ナイロンやポリプロピレンなどから一体に成形されてなる樹脂製の治具であり、図１〜図３に示すように、クランクプーリ１の側面に沿って配置される治具本体１０と、該治具本体１０の一端側（図１で左側、図２で右側）の上端部近傍にプーリ回転方向前方に突設されたベルト案内部１５とを備えている。
【００４７】
治具本体１０は、一端側がプーリ径方向外側から内側に延びてクランクプーリ１の手前側側面と当接する当接部１１を、他端側が上記当接部１１の下端部にプーリ回転方向前方に突設された捩れ防止プレート１２をそれぞれ構成しており、一端よりも他端がプーリ回転方向前方に位置する略Ｌ字状に形成されている。
【００４８】
捩れ防止プレート１２は、上記ベルト案内部１５に沿って延び該ベルト案内部１５よりもプーリ回転方向前方側に若干突出していると共に、図３及び図４に示すように、ベルト案内部１５とプーリ回転軸方向に離間して当該ベルト案内部１５との間に隙間Ｓを有している。そして、捩れ防止プレート１２の先端側は、ベルト取付治具Ｊ１がクランクプーリ１に取り付けられた状態でクランクプーリ１のフランジ２ｂ外周縁部近傍に位置付けられるように、図２に示すようにベルト案内部１５に近接している。
【００４９】
この捩れ防止プレート１２のクランクプーリ１側に位置する面は、プーリ回転方向後方から前方に向かってベルト案内部１５とは反対側に傾斜している。これにより、捩れ防止プレート１２とベルト案内部１５との間のプーリ回転軸方向の隙間Ｓは、図３及び図４に示すように、プーリ回転方向後方から前方に向かって広くなっている。このように捩れ防止プレート１２とベルト案内部１５との間の隙間Ｓが先広がりしていることで、ベルト取付治具Ｊ１は、クランクプーリ１に取り付けたときに、図４に示すように、クランクプーリ１の手前側側面と捩れ防止プレート１２との間にプーリ回転方向後方から前方に向かって広くなるベルト挿通部１３を形成するようになっている。
【００５０】
ベルト案内部１５は、クランクプーリ１における手前側プーリ２のプーリ幅に略等しい幅で形成され、ベルトＢを基端側表面を経て捩れ防止プレート１２との間の隙間Ｓに案内するようになっている。このベルト案内部１５の表面には、上記隙間Ｓ側の端部に該隙間Ｓ側に下傾する第１の傾斜面１５ａが形成されていると共に、その他の部分に上記隙間Ｓと反対側に下傾する第２の傾斜面１５ｂが形成されており、緩やかな山形凸面を呈している。
【００５１】
このようにベルト案内部１５の表面に第１の傾斜面１５ａが形成されていることで、ベルトＢをベルト案内部１５の基端側表面を経て捩れ防止プレート１２とベルト案内部１５との間の隙間Ｓに案内するようにベルト取付治具Ｊ１に掛け回した際に、上記第１の傾斜面１５ａによってベルトＢに極端な曲げを生じさせることなく当該ベルトＢをベルト案内部１５の表面から折り曲げて上記隙間Ｓに通すと共にクランクプーリ１の側方に引き出すことができるので、当該プーリ１へのベルト取付けに伴うベルトＢのひずみ集中を避けてベルトＢの破損を防止することができる。
【００５２】
さらに、ベルト案内部１５に第２の傾斜面１５ｂが形成されていることで、クランクプーリ１へのベルトＢの取付け最終段階で、捩れ防止プレート１２とベルト案内部１５との間の隙間ＳからベルトＢが抜けてベルト案内部１５の表面に乗った際、該ベルトＢを第２の傾斜面１５ｂによりプーリ溝２ａ側に滑り込ませてスムーズにプーリ溝２ａに嵌合させることができるので、クランクプーリ１へのベルトＢの取付作業を速やかに行うことができる。
【００５３】
また、このベルト案内部１５の裏面には、上記手前側プーリ２の各プーリ溝２ａに係合する複数（本実施形態では３本）の係合突条部１６が突設されている。これら各係合突条部１６は、プーリ溝２ａに対応するように横断面略三角形状に形成されており、該プーリ溝２ａに対して楔係合するようになっている。なお、本実施形態では、係合突条部１６が横断面略三角形状に形成されているとしているが、係合突条部１６は上記プーリ溝２ａに楔係合するように横断面台形状に形成されていてもよい。
【００５４】
さらに、上記治具本体１０の当接部１１とベルト案内部１５の基端側裏面との間には、図５に示すように、クランクプーリ１の手前側フランジ２ｂを挟み込むように係合する係合溝１７が形成されており、該係合溝１７とクランクプーリ１の手前側フランジ２ｂとが楔係合するようになっている。このようにベルト取付治具Ｊ１は、ベルト案内部１５裏面の係合突条部１６とプーリ溝２ａとの楔係合に加え、クランクプーリ１の手前側フランジ２ｂと上記係合溝１７との楔係合によってクランクプーリ１に係止固定されるので、クランクプーリ１へのベルトＢの巻掛け終了後に当該ベルト取付治具Ｊ１がクランクプーリ１から外れて落下することを防止できる。
【００５５】
また、上記治具本体１０の一端側端部は、上記ベルト案内部１５の基端から第１及び第２の傾斜面１５ａ，１５ｂに連続してプーリ手前側に向かってプーリ径方向外方に上傾した傾斜面１４ａを有するベルト保持部１４を構成している。ベルト取付治具Ｊ１にベルトＢを掛け回した状態で該ベルト取付治具Ｊ１をクランクプーリ１に取り付け、該プーリ１を回転させながらベルトＢを巻き掛けるときには、ベルトＢの巻掛けに伴って付与された張力によりプーリ手前側に引っ張られたベルトＢの内周面がベルト保持部１４の傾斜面１４ａに押し付けられる。ベルト保持部１４は、その摩擦力によってベルトＢを保持して該ベルトＢがベルト取付治具Ｊ１からプーリ手前側に外れることを防止するようになっている。
【００５６】
上記構成のベルト取付治具Ｊ１は、コンプレッサプーリ６にベルトＢを掛け渡した状態で、該ベルトＢを、ベルト保持部１４の奥側を通してベルト案内部１５に掛け、該ベルト案内部１５と捩れ防止プレート１２との間の隙間Ｓを通してベルト取付治具Ｊ１に掛け回すと共に、当該ベルト取付治具Ｊ１よりもプーリ回転方向後方に位置するベルトＢ部分をクランクプーリ１のプーリ溝２ａに嵌合させ、さらに、上記隙間Ｓを通したベルトＢ部分を捩れ防止プレート１２とクランクプーリ１の手前側側面とによりベルト挿通部１３にてベルト内周面がクランクプーリ１側を向くように挟み込んでクランクプーリ１の手前側に引き出すことにより、ベルト案内部１５がクランクプーリ１のプーリ溝２ａとベルトＢとの間に挟まれて、クランクプーリ１に取り付けられる。
【００５７】
そして、ベルト取付治具Ｊ１は、クランクプーリ１の手前側側面と捩れ防止プレート１２とでベルトＢをその内周面がクランクプーリ１側を向くように保持したクランクプーリ１への取付状態で、クランクプーリ１の回転動作に伴ってベルトＢと共にプーリ回転方向に移動することにより、該ベルトＢを上記クランクプーリ１のプーリ溝２ａに嵌合させるように構成されている。
【００５８】
−使用方法−
次に、上記ベルト取付治具Ｊ１を使用してクランクプーリ１及びコンプレッサプーリ６にベルトＢを取り付ける方法について、図７〜図９を参照しながら説明する。図７は、クランクプーリ１へのベルト取付工程の前半ステップを示す側面図である。図８は、クランクプーリ１へのベルト取付工程の後半ステップを示す側面図である。図９は、クランクプーリ１へのベルト巻掛け終了状態を示す側面図である。なお、図８中の矢印は、各プーリ１，６の回転方向を示している。
【００５９】
上記ベルト取付治具Ｊ１を使用してクランクプーリ１及びコンプレッサプーリ６にベルトＢを取り付けるには、まず、図７（ａ）に示すように、コンプレッサプーリ６にベルトＢを掛け渡すと共に、該ベルトＢを、ベルト保持部１４の奥側を通してベルト案内部１５に掛け、該ベルト案内部１５と捩れ防止プレート１２との間の隙間Ｓを通してベルト取付治具Ｊ１に掛け回す。このとき、捩れ防止プレート１２とベルト案内部１５との間の隙間Ｓは先広がりしているので、当該隙間ＳにベルトＢを通しやすい。続いて、ベルト保持部１４よりもプーリ回転方向後方に位置するベルトＢ部分をプーリ溝２ａに嵌合させて、ベルト案内部１５裏面の係合突条部１６をクランクプーリ１における手前側プーリ２のプーリ溝２ａに、係合溝１７をクランクプーリ１の手前側フランジ２ｂにそれぞれ楔係合させる。
【００６０】
そして、ベルト案内部１５と捩れ防止プレート１２との間の隙間Ｓを通したベルトＢをクランクプーリ１の手前側側面と捩れ防止プレート１２との間のベルト挿通部１３にてその内周面がクランクプーリ１側を向くように挟み込んで保持し、該ベルトＢをベルト保持部１４よりもプーリ回転方向前方でクランクプーリ１の手前側側方に引き出すことにより、ベルト案内部１５をクランクプーリ１のプーリ溝２ａとベルトＢとの間に挟んでベルト取付治具Ｊ１をクランクプーリ１に取り付ける。この状態では、ベルトＢに張力がさほど作用せず、クランクプーリ１にベルトＢを容易に掛けることができる。このとき、クランクプーリ１の手前側側面と捩れ防止プレート１２との間にベルトＢが固定され、その固定されたベルトＢとプーリ溝２ａとの間にベルト案内部１５が挟着されるので、ベルト取付治具Ｊ１は、当該取付治具Ｊ１とクランクプーリ１とベルトＢとの相互の関連によりクランクプーリ１に強固に係止固定される。
【００６１】
次いで、図７（ｂ）に示すように、ベルト取付治具Ｊ１を取り付けたクランクプーリ１のセンターボルト４にレンチ２０を連結し、クランクプーリ１を手動で回転できるようにする。このとき、ベルトＢがレンチ２０のセンターボルト４との連結部に接触する場合には、該連結部にベルト背面側を接触させておく。
【００６２】
続いて、クランクプーリ１をレンチ２０を用いて図７（ｂ）で時計回りに回転させることにより、図８（ａ）に示すように、ベルト取付治具Ｊ１がプーリ回転方向前方に進み、プーリ溝２ａに嵌合するベルトＢの範囲が徐々に広がっていく。
【００６３】
このとき、ベルトＢからプーリ手前側側方に向かう力がベルト保持部１４に作用するが、ベルト案内部１５がベルトＢによってプーリ溝２ａに向けて押さえ付けられていると共に、係合溝１７がクランクプーリ１の手前側フランジ２ｂに楔係合していることによってベルト取付治具Ｊ１の傾きが規制されると共に、ベルトＢの内周面がベルト保持部１４の傾斜面１４ａに押し付けられ、その摩擦力によってベルトＢが当該ベルト取付治具Ｊ１からプーリ手前側側方に外れることが防止される。これにより、クランクプーリ１へのベルトＢの巻掛けが終了するまで、ベルト取付治具Ｊ１のクランクプーリ１への取付状態が維持される。
【００６４】
上記クランクプーリ１の回転に伴い、ベルト取付治具Ｊ１よりもプーリ回転方向前方でクランクプーリ１の手前側側方に位置するベルトＢ部分がクランクプーリ１の径方向内側から外側に移動して、徐々にクランクプーリ１の手前側フランジ２ｂの外周縁部に近づいていき、クランクプーリ１へのベルトＢの巻掛け終了間際においては、図８（ｂ）に示すように、プーリフランジ２ｂの外周縁部に近接した状態となる。このような状態においても、捩れ防止プレート１２の先端側がクランクプーリ１のフランジ２ｂ外周縁部近傍に位置しているので、クランクプーリ１の手前側側面と捩れ防止プレート１２とでベルトＢの姿勢を変わらず保持することができる。
【００６５】
ここで、ベルトＢの巻掛けに伴い付与された張力によってベルトＢがコンプレッサプーリ６におけるベルト進入側でプーリ手前側に強く引っ張られるが、捩れ防止プレート１２とベルト案内部１５との間の隙間Ｓに案内されたベルトＢを、クランクプーリ１の手前側側面と捩れ防止プレート１２とによりその内周面がクランクプーリ１側を向くようにベルト挿通部１３にて挟み込んで保持しているので、クランクプーリ１のプーリ溝２ａにまだ巻き掛けられていないベルトＢ部分においてプーリ１，６の外周面上で手前側に送られる幅方向一方側がプーリ１，６の外周面上で奥側に送られる幅方向他方側に対してプーリ回転軸側に位置し、コンプレッサプーリ６上でプーリ手前側に位置するベルトＢ部分が該プーリ６のプーリ溝及びフランジ６ａに強く噛んで、当該プーリ６からベルトＢが外れることを防止できる。また、それと共に、クランクプーリ１の回転動作に伴う当該プーリ１の手前側側面との摺動によりベルトＢに捩れが生じようとするプーリ側方において、ベルトＢの捩れを確実に抑止して、ベルト背面が損傷することを防止できる。
【００６６】
さらにそのまま続けてクランクプーリ１を回転させると、やがて、ベルトＢは、捩れ防止プレート１２とベルト案内部１５との間の隙間Ｓから抜けてベルト案内部１５の表面に乗り、該ベルト案内部１５の第２の傾斜面１５ｂを経てプーリ溝２ａ側に滑り込んで完全にプーリ溝２ａに嵌合して、クランクプーリ１に正常に巻き掛けられる。そして、ベルト取付治具Ｊ１がベルトＢから外れて、図９に示すように、該ベルト取付治具Ｊ１はクランクプーリ１に付いたまま該プーリ１から脱落することなくクランクプーリ１とコンプレッサプーリ６との間に位置した状態となるので、この時点でクランクプーリ１の回転を止める。しかる後、クランクプーリ１からベルト取付治具Ｊ１を取り外して、クランクプーリ１へのベルトＢの取付けが完了する。
【００６７】
以上のようにして、クランクプーリ１とコンプレッサプーリ６とにベルトＢを緊張状態で巻き掛けることができる。
【００６８】
−実施形態１の効果−
この実施形態１によると、クランクプーリ１の手前側側面と捩れ防止プレート１２とによりベルトＢをその内周面がクランクプーリ１側を向くように挟み込んで保持するので、当該ベルトＢのプーリ手前側部分がコンプレッサプーリ６のプーリ溝及びフランジ６ａに強く噛んで当該プーリ６からベルトＢが外れることを防止できると共に、ベルトＢの捩れを確実に抑止してベルト背面が損傷することを防止できる。そして、上述のベルト外れ防止治具が不要となるので、クランクプーリ１へのベルト取付けに必要となる治具の点数を削減でき、簡素且つコンパクトな構成の当該ベルト取付治具Ｊ１でクランクプーリ１へのベルト取付けを良好に行うことができる。
【００６９】
さらに、この実施形態１によると、クランクプーリ１の手前側側面と捩れ防止プレート１２との間にベルトＢが挟み込んで固定され、その固定されたベルトＢとプーリ溝２ａとの間にベルト案内部１５が挟着されるので、ベルト取付治具Ｊ１をクランクプーリ１に強固に係止固定することができる。これにより、ベルトＢの取付作業中に当該ベルト取付治具Ｊ１がクランクプーリ１に対してずれることがなく、該プーリ１へのベルトＢの取付作業を確実且つ速やかに行うことができる。
【００７０】
《発明の実施形態２》
図１０及び図１１は、この実施形態２に係るベルト取付治具Ｊ２を示している。図１０は、ベルト取付治具Ｊ２の斜視図である。図１１は、ベルト取付治具Ｊ２の側面図である。
【００７１】
本実施形態では、ベルト取付治具Ｊ２の一部の構成が上記実施形態１と異なる他は上記実施形態１と同様に構成されているので、構成の異なる部分についてのみ説明する。なお、以降の実施形態では、図１〜図９と同一の構成箇所については同一符合を付して上記実施形態１の説明に譲ることにし、その詳細な説明を省略する。
【００７２】
本実施形態のベルト取付治具Ｊ２は、図１０及び図１１に示すように、上記実施形態１のベルト取付治具Ｊ１と同様な構成に加え、ベルト保持部１４の上端にベルト案内部１５のプーリ径方向外側に離間して突設されたベルト押え部３０をさらに備えている。ベルト押え部３０は、捩れ防止プレート１２とプーリ径方向において間隔をあけて重なり、且つ該捩れ防止プレート１２と同じくベルト案内部１５とプーリ回転軸方向に離間して当該ベルト案内部１５との間に、捩れ防止プレート１２とベルト案内部１５との間の隙間Ｓと同様な隙間Ｓを有している。
【００７３】
このベルト押え部３０は、例えば細長い板状のものであって、上記ベルト案内部１５に沿って延びる湾曲形状に形成され、捩れ防止プレート１２よりもプーリ回転方向前方側に若干突出している。そして、ベルト押え部３０は、ベルト案内部１５との間の隙間Ｓ側の端部がベルトＢの巻掛け終了に先だって該ベルトＢのプーリ溝２ａに未嵌合な部分に接し、当該ベルトＢ部分をクランクプーリ１側に押さえるようになっている。
【００７４】
上記構成のベルト取付治具Ｊ２を使用してクランクプーリ１及びコンプレッサプーリ６にベルトＢを取り付けるときのベルトＢの巻掛け終了間際の状態を図１２に示す。
【００７５】
上記構成のベルト取付治具Ｊ２を使用して上記実施形態１と同じ手順でクランクプーリ１及びコンプレッサプーリ６にベルトＢを取り付けると、ベルト張力が最大となるベルトＢの巻掛け終了直前において、クランクプーリ１の手前側側面と捩れ防止プレート１２との間の隙間ＳからベルトＢが抜けるが、その前に、図１２（ａ）に示すように、ベルト押え部３０の先端部がまだクランクプーリ１のプーリ溝２ａに巻き掛けられていないベルトＢ部分のプーリ手前側に位置して当該ベルトＢ部分に接する。そして、ベルトＢは、クランクプーリ１の手前側側面と捩れ防止プレート１２との間の隙間Ｓから抜けた際に、図１２（ｂ）に示すように、ベルト押え部３０によってクランクプーリ１側に押さえられ、ベルト案内部１５上、つまりクランクプーリ１の外周面上に速やかに移動する。
【００７６】
−実施形態２の効果−
したがって、この実施形態２によると、クランクプーリ１へのベルトＢの巻掛け終了直前において、クランクプーリ１の手前側側面と捩れ防止プレート１２との間の隙間ＳからベルトＢが抜けて、当該ベルトＢのプーリ手前側部分がコンプレッサプーリ６のプーリ溝及びフランジ６ａに強く噛んだ状態が解除されても、ベルトＢの巻掛け終了に先だって、ベルト押え部３０により、該ベルトＢのプーリ溝２ａにまだ嵌合していない部分がクランクプーリ１側に押さえられるので、コンプレッサプーリ６のフランジ６ａにベルトＢが乗り上げることを確実に防止できる。
【００７７】
そして、ベルト押え部３０がクランクプーリ１の外周縁部に沿って延びる湾曲形状であるので、クランクプーリ１の手前側側面と捩れ防止プレート１２との間のベルト挿通部１３からベルトＢが抜けた際に該ベルトＢのプーリ溝２ａにまだ巻き掛けられていない部分をクランクプーリ１側に押さえる構成をコンパクトに実現することができる。
【００７８】
《発明の実施形態３》
図１３は、この実施形態３に係るベルト取付治具Ｊ３の斜視図である。
【００７９】
本実施形態のベルト取付治具Ｊ３は、上記実施形態１と同様に、当接部１１及び捩れ防止プレート１２からなる治具本体１０と、ベルト案内部１５とを備えている。
【００８０】
上記実施形態１では、捩れ防止プレート１２がベルト案内部１５よりもプーリ回転方向前方側に若干突出しているものとしたが、本実施形態の捩れ防止プレート１２は、クランクプーリ１の外周縁部に倣って該プーリ１の側面に沿って弧状に延び、反当接部１１側の端部が当接部１１とプーリ径方向内側に向かい合うように略半円弧形状に形成されている。これにより、ベルト取付治具Ｊ３は、クランクプーリ１に取り付けた際に、該プーリ１のベルト送出側側方においてプーリ径方向中心側から外側に向かって延びるベルトＢの中途部を、その内周面をクランクプーリ１側に向けた状態で当該プーリ１の手前側側面と捩れ防止プレート１２とによりベルト挿通部１３にて挟み込んで保持可能に構成されている。
【００８１】
この捩れ防止プレート１２は、当接部１１側の端部よりもその他の部分が厚くなっていて、反当接部１１側の剛性が高められており、クランクプーリ１の手前側側面と捩れ防止プレート１２の反当接部１１側との間にベルトＢを挟み込んだ際に、当該プレート１２の反当接部１１側に局部的な変形が生じ難くなっている。そして、捩れ防止プレート１２における当接部１１側の端部には、ベルト案内部１５の先端側に近接するようにプーリ径方向外側に向かって押え突片１２ａが突設されている。この押え突片１２ａは、ベルト取付治具Ｊ３がクランクプーリ１に取り付けられた状態で、上記実施形態１におけるベルト取付治具Ｊ１の捩れ防止プレート１２と同様に、ベルト案内部１５の先端側付近で当該プーリ１のフランジ２ｂ外周縁部近傍に位置付けられる。
【００８２】
当接部１１の反プーリ１側の中央部分には、矩形状の凹陥部１１ｘが凹設されている。捩れ防止プレート１２の反プーリ１側の中央部分にも、捩れ防止プレート１２の湾曲形状に倣って湾曲した矩形状の凹陥部１２ｘが複数（本実施形態では３つ）一列に並ぶように凹設されている。これにより、治具本体１０に必要な剛性を保ちながらベルト取付治具Ｊ３が軽量化されている。
【００８３】
上記構成のベルト取付治具Ｊ３を使用してクランクプーリ１及びコンプレッサプーリ６にベルトＢを取り付けるときのベルト取付工程を図１４〜図１６に示す。図１４は、ベルト取付治具Ｊ３をクランクプーリ１に取り付けた状態を示す側面図である。図１５は、クランクプーリ１へのベルトＢの巻掛け途中段階を示す側面図である。図１６は、クランクプーリ１へのベルトＢの巻掛け終了状態を示す側面図である。
【００８４】
上記ベルト取付治具Ｊ３を使用してクランクプーリ１及びコンプレッサプーリ６にベルトＢを取り付けるには、上記実施形態１と同様にして、まず、図１４に示すように、コンプレッサプーリ６にベルトＢの一方側を掛け渡すと共に、該ベルトＢの他方側をベルト案内部１５と捩れ防止プレート１２との間の隙間Ｓを通してベルト取付治具Ｊ３に掛け回す。そして、ベルト保持部１４よりもプーリ回転方向後方に位置するベルトＢ部分をプーリ溝２ａに嵌合させ、ベルト案内部１５と捩れ防止プレート１２との間の隙間Ｓを通したベルトＢ部分をクランクプーリ１の手前側側面と捩れ防止プレート１２とによりベルト挿通部１３にてその内周面がクランクプーリ１側を向くように挟み込んで保持し、ベルト取付治具Ｊ３をベルトＢの掛け回しによってクランクプーリ１に取り付ける。これにより、クランクプーリ１の側方に位置するベルトＢ部分を、クランクプーリ１の手前側側面と捩れ防止プレート１２とにより、クランクプーリ１のベルト送出側側方においてプーリ径方向中心側から外側に向かって延びるベルトＢの中途部を含んで上記実施形態１よりも長い範囲に亘って保持し、所定の姿勢に安定させることができる。
【００８５】
次いで、図１５に示すように、クランクプーリ１をレンチ２０を用いて図中時計回りに回転させることにより、ベルト取付治具Ｊ３を巻き掛けたベルトＢと共にプーリ回転方向前方に進め、プーリ溝２ａに嵌合するベルトＢの範囲を広げていく。この過程では上記実施形態１と同様な作用効果が奏される。
【００８６】
そして最終的に、図１６に示すように、ベルト取付治具Ｊ３がベルトＢから外れてクランクプーリ１に付いたまま該プーリ１から脱落することなくクランクプーリ１とコンプレッサプーリ６との間に位置した状態となった時点で、クランクプーリ１の回転を止める。しかる後、クランクプーリ１からベルト取付治具Ｊ３を取り外して、クランクプーリ１へのベルトＢの取付けが完了する。
【００８７】
−実施形態３の効果−
この実施形態３によると、クランクプーリ１のベルト送出側側方においてプーリ径方向中心側から外側に向かって延びクランクプーリ１の回転動作に伴う当該プーリ１の側面との摺動により捩れやすいベルトＢの中途部が、ベルト取付治具Ｊ３をクランクプーリ１に取り付けた際の取付け初期状態から当該プーリ１の手前側側面と捩れ防止プレート１２とによりベルトＢの内周面をクランクプーリ１側に向けた状態に保持されるので、当該ベルトＢの捩れをよりいっそう確実に抑止することができる。
【００８８】
《発明の実施形態４》
図１７は、この実施形態４に係るベルト取付治具Ｊ４の斜視図である。図１８は、ベルト取付治具Ｊ４をクランクプーリ１に取り付けてベルトＢを掛け回した状態の正面図である。
【００８９】
本実施形態のベルト取付治具Ｊ４は、図１７に示すように、当接部１１及び捩れ防止プレート１２を有する治具本体１０と、上記実施形態１と同様なベルト案内部１５とを備えている。
【００９０】
本実施形態の捩れ防止プレート１２は、クランクプーリ１の外周縁部に倣って該プーリ１の側面に沿って延びる円弧状であって、例えば、ベルト取付治具Ｊ４をクランクプーリ１に取り付けた際に該プーリ１外周縁部の半周超に亘って沿うように配置される優弧形状に形成されている。これにより、上記実施形態３と同様に、ベルト取付治具Ｊ４は、クランクプーリ１に取り付けた際に、該プーリ１のベルト送出側側方においてプーリ径方向中心側から外側に向かって延びるベルトＢの中途部を、その内周面をクランクプーリ１側に向けた状態で当該プーリ１の手前側側面と捩れ防止プレート１２とによりベルト挿通部１３にて挟み込んで保持可能に構成されている。
【００９１】
本実施形態の治具本体１０は、捩れ防止プレート１２の当接部１１側にプーリ径方向外方に突設されたベルト挟持部１８をさらに備えている。ベルト挟持部１８は、ベルト案内部１５とプーリ回転軸方向に間隔をあけて形成され、該ベルト案内部１５との間にベルト挿通部１３に通ずる隙間Ｓを有している。そして、ベルト挟持部１８は、ベルト案内部１５との間の隙間Ｓを通したベルトＢをベルト案内部１５とで挟持するようになっている。
【００９２】
上記構成のベルト取付治具Ｊ４を使用してクランクプーリ１及びコンプレッサプーリ６にベルトＢを取り付けるには、コンプレッサプーリ６にベルトＢの一方側を掛け渡すと共に、図１８に示すように、該ベルトＢの他方側をベルト案内部１５とベルト挟持部１８との間の隙間Ｓを通してこれらベルト案内部１５とベルト挟持部１８とで挟持し、さらにベルト案内部１５と捩れ防止プレート１２との間の隙間Ｓをも通してベルト取付治具Ｊ３に掛け回す。そして、ベルト保持部１４よりもプーリ回転方向後方に位置するベルトＢ部分をプーリ溝２ａに嵌合させ、ベルト案内部１５と捩れ防止プレート１２との間の隙間Ｓを通したベルトＢ部分をクランクプーリ１の手前側側面と捩れ防止プレート１２とによりベルト挿通部１３にてその内周面がクランクプーリ１側を向くように挟み込んで保持することで、ベルト取付治具Ｊ３をベルトＢの掛け回しによってクランクプーリ１に取り付ける。その後、上記実施形態１と同じ手順でレンチ２０を用いてクランクプーリ１を回転させ、該プーリ１にベルトＢを取り付ける。
【００９３】
−実施形態４の効果−
この実施形態４によると、クランクプーリ１にベルトＢを巻き掛ける際に、ベルト挟持部１８とベルト案内部１５とでベルトＢを挟持するので、ベルト取付治具Ｊ４自体にベルトＢが固定される。これにより、ベルトＢがクランクプーリ１の回転動作に伴いベルト取付治具Ｊ４上で滑ることを防止でき、効率良く且つ確実にクランクプーリ１にベルトＢを取り付けることができる。その他については、上記実施形態１と同様な効果を得ることができる。
【００９４】
《その他の実施形態》
上記実施形態１〜４では、ベルト取付治具Ｊ１，Ｊ２，Ｊ３，Ｊ４として、捩れ防止プレート１２とクランクプーリ１の手前側側面とによりベルト挿通部１３にてベルト内周面がクランクプーリ１側を向くようにベルトＢを挟み込む構成を説明したが、本発明はこれに限らない。ベルト取付治具Ｊ１，Ｊ２，Ｊ３，Ｊ４は、捩れ防止プレート１２とクランクプーリ１の手前側側面との間に若干の捩れ動作が可能にベルトＢが緩く挿入される構成でもよく、捩れ防止プレート１２と治具取付け先のプーリ１の手前側側面とにより、治具取付け先のプーリ１に続いてベルトＢが送られる他のプーリ６上でベルトＢのプーリ手前側部分を該プーリ６のプーリ溝及びフランジ６ａに強く噛ませる角度にベルトＢの姿勢を保持でき、且つベルトＢの背面が治具取付け先のプーリ１の手前側側面と当接しない程度にベルトＢの捩れを規制できる構成であれば構わない。
【００９５】
以上、本発明の好ましい実施形態について説明したが、本発明の技術的範囲は、上記の実施形態の範囲に限定されない。上記実施形態が例示であり、それらの各構成要素や各処理プロセスの組合せに、さらにいろいろな変形例が可能なこと、またそうした変形例も本発明の範囲になることは当業者に理解されるところである。
【００９６】
例えば、本発明に係るベルト取付治具は、上記実施形態３のベルト取付治具Ｊ３が上記実施形態２のベルト取付治具Ｊ２のベルト押え部３０を備えた構成のものであってもよい。
【００９７】
また、上記実施形態では、クランクプーリ１及びコンプレッサプーリ６の２個のプーリにベルトＢを巻き掛ける場合を例に挙げて説明したが、本発明に係るベルト取付治具Ｊは、３個以上のプーリにベルトＢを巻き掛ける場合にも勿論適用することができる。
【００９８】
またその他、上記実施形態では、プーリ１，６に巻き掛けるベルトとしてＶリブドベルトＢを例に挙げて説明したが、本発明に係るベルト取付治具Ｊの使用対象とするベルトはこれに限らず、平ベルトやＶベルトなどのＶリブドベルト以外のベルトであっても構わない。
【産業上の利用可能性】
【００９９】
以上説明したように、本発明は、ベルト取付治具について有用であり、特に、少なくとも２個のプーリにベルトを巻き掛ける際において、予め掛け渡したプーリからのベルト外れ、及びベルト背面の損傷を防止することが要望されるベルト取付治具に適している。
【符号の説明】
【０１００】
Ｂ        Ｖリブドベルト
Ｊ１，Ｊ２，Ｊ３    ベルト取付治具
Ｓ        隙間
１        クランクプーリ
６        コンプレッサプーリ
２ａ，３ａ    プーリ溝
２ｂ，３ｂ    フランジ
１０      治具本体
１１      当接部（治具本体の一端側）
１２      捩れ防止プレート（治具本体の他端側）
１２ａ    ベルト押え部
１５      ベルト案内部
１５ａ    第１の傾斜面
１５ｂ    第２の傾斜面
１６      係合突条部
１７      係合溝
【図１】
2011158505.tif 000003
【図２】
2011158505.tif 000004
【図３】
2011158505.tif 000005
【図４】
2011158505.tif 000006
【図５】
2011158505.tif 000007
【図６】
2011158505.tif 000008
【図７】
2011158505.tif 000009
【図８】
2011158505.tif 000010
【図９】
2011158505.tif 000011
【図１０】
2011158505.tif 000012
【図１１】
2011158505.tif 000013
【図１２】
2011158505.tif 000014
【図１３】
2011158505.tif 000015
【図１４】
2011158505.tif 000016
【図１５】
2011158505.tif 000017
【図１６】
2011158505.tif 000018
【図１７】
2011158505.tif 000019
【図１８】
2011158505.tif 000020
【国際調査報告】
2011158505.tif 000021
2011158505.tif 000022
2011158505.tif 000023
2011158505.tif 000024